(57)【要約】      （修正有）【課題】入居者が望むインテリアの部屋を実現するための設計装置を提供する。【解決手段】部屋に関するデータである部屋データが記憶された部屋データベース５１と、内装品に関するデータである内装品データが記憶された内装品データベース５２と、部屋データベース５１から所望の部屋データを選択する部屋選択手段と、内装品データベース５２から所望の内装品データを選択する内装品選択手段と、を備える装置１を用いて部屋に備える内装品を入居者が選び、選んだ内装品を実際の部屋に施工することで、入居者が望むインテリアの部屋を実現することができる。【選択図】図１
0003186705.tif 000002
【実用新案登録請求の範囲】
【請求項１】
部屋に関するデータである部屋データが記憶された部屋データベースと、
内装品に関するデータである内装品データが記憶された内装品データベースと、
部屋データベースから所望の部屋データを選択する部屋選択手段と、
内装品データベースから所望の内装品データを選択する内装品選択手段と、
を備える装置により、前記部屋選択手段により選択された部屋データに対応する部屋に備える内装品データを前記内装品選択手段により選択し、
選択された該内装品データに対応する内装品を、選択された該部屋データに対応する部屋に取り付けることを特徴とする部屋。
【請求項２】
建具に関するデータである建具データが記憶された建具データベースと、
内装品に関するデータである内装品データが記憶された内装品データベースと、
建具データベースから所望の建具データを選択する建具選択手段と、
内装品データベースから所望の内装品データを選択する内装品選択手段と、
を備える装置により、前記建具選択手段により選択された建具データに対応する建具に備える内装品データを前記内装品選択手段により選択し、
選択された該内装品データに対応する内装品を、選択された該建具データに対応する建具に取り付けることを特徴とする建具。
【請求項３】
家具に関するデータである家具データが記憶された家具データベースと、
内装品に関するデータである内装品データが記憶された内装品データベースと、
家具データベースから所望の家具データを選択する家具選択手段と、
内装品データベースから所望の内装品データを選択する内装品選択手段と、
を備える装置により、前記家具選択手段により選択された家具データに対応する家具に備える内装品データを前記内装品選択手段により選択し、
選択された該内装品データに対応する内装品を、選択された該家具データに対応する家具に取り付けることを特徴とする家具。
【考案の詳細な説明】
【技術分野】
【０００１】
本考案は、入居者の好みに合った内装品を部屋、建具、家具に施工することに関する。
【背景技術】
【０００２】
部屋を借りたりマンションを購入したりした入居者は、自分の好みに合ったインテリアの部屋にしたいという要望をもっている。そこで、要望にこたえるための方法として、展示会場やショールーム等で部屋に見立てた空間を設け、その空間に実際の製品を施工してインテリアを検討することがあげられる。しかし、この方法では、スペース、コスト、時間等がかかる上に複数の組み合わせを同時に検討できないという問題がある。
【０００３】
この問題に対して、ミニチュア模型を使用することが特許文献１に提案されている。
【先行技術文献】
【特許文献】
【０００４】
【特許文献１】特開２００２−９１３２０号公報
【考案の概要】
【考案が解決しようとする課題】
【０００５】
しかし、特許文献１に記載の装置では、部屋の概略のイメージが決まるだけであり、部屋全体のインテリアについて検討し、それを実際に施工するのは難しい。
本考案は、このような従来の問題点に鑑みてなされたものであり、入居者が好みの内装品を自分で選択し、それを実際に施工することで、入居者自身が望むインテリアの部屋を実現することができる。
【課題を解決するための手段】
【０００６】
部屋に関するデータである部屋データが記憶された部屋データベースと、内装品に関するデータである内装品データが記憶された内装品データベースと、部屋データベースから所望の部屋データを選択する部屋選択手段と、内装品データベースから所望の内装品データを選択する内装品選択手段と、を備える装置により、前記部屋選択手段により選択された部屋データに対応する部屋に備える内装品データを前記内装品選択手段により選択し、選択された該内装品データに対応する内装品を、選択された該部屋データに対応する部屋に取り付けることを特徴とする部屋。
【０００７】
建具に関するデータである建具データが記憶された建具データベースと、内装品に関するデータである内装品データが記憶された内装品データベースと、建具データベースから所望の建具データを選択する建具選択手段と、内装品データベースから所望の内装品データを選択する内装品選択手段と、を備える装置により、前記建具選択手段により選択された建具データに対応する建具に備える内装品データを前記内装品選択手段により選択し、選択された該内装品データに対応する内装品を、選択された該建具データに対応する建具に取り付けることを特徴とする建具。
【０００８】
家具に関するデータである家具データが記憶された家具データベースと、内装品に関するデータである内装品データが記憶された内装品データベースと、家具データベースから所望の家具データを選択する家具選択手段と、内装品データベースから所望の内装品データを選択する内装品選択手段と、を備える装置により、前記家具選択手段により選択された家具データに対応する家具に備える内装品データを前記内装品選択手段により選択し、選択された該内装品データに対応する内装品を、選択された該家具データに対応する家具に取り付けることを特徴とする家具。
【考案の効果】
【０００９】
本考案によれば、入居者が好みの内装品を自分で選択し、それを実際に施工することで、入居者自身が望むインテリアの部屋を実現することができる。
【図面の簡単な説明】
【００１０】
【図１】装置１の構成を示すもので、そのブロック図である。
【図２】内装品２００の構成図である。
【図３】部屋を決定するための表示画面の例である。
【図４】部屋を構成する部分を決定するための表示画面の例である。
【図５】内装品を決定するための表示画面の例である。
【図６】部屋と内装品を決定する工程のフロー図である。
【図７】部屋１００に内装品２００を施工した例を説明した図である。
【考案を実施するための形態】
【００１１】
以下、本考案の実施形態について説明する。装置１は、部屋および内装品を決定する処理などを行う。図１に示すように、装置１は、制御部１０、操作部２０、表示部３０、メモリ部４０、記憶部５０などから構成される。
【００１２】
制御部１０は、例えば、ＣＰＵ（Central Processing Unit）などのプロセッサや、ＲＡＭ（Random Access Memory）などの主記憶装置などから構成される。制御部１０は、後述する記憶部５０などに格納されているプログラムを実行することで、装置１の各部を制御する。また、本実施形態では、所定のプログラムを実行することで、後述する各処理にかかる機能が制御部１０によって実現される。本実施形態では、後述する各処理にかかる動作を制御部１０が行うものとするが、制御部１０とは独立した専用プロセッサなどが行うように構成してもよい。
【００１３】
操作部２０は、マウスやキーボード等によって構成され、装置１の使用者である入居者による操作に応じた入力信号を生成して制御部１０に送出する。
【００１４】
表示部３０は、例えば、液晶表示装置などから構成され、装置１を操作するために必要な種々の画面や、部屋データ６０のレイアウト画面や内装品データ７０の色、模様、素材等を表示出力する。
【００１５】
メモリ部４０は、例えば、ＲＡＭやフラッシュメモリなどの記憶装置から構成され、制御部１０が記憶部５０に格納されたプログラムを実行する際に各種データを展開するプログラム格納領域を形成するとともに、制御部１０が実行する処理に関わるデータなどを一時的に記憶する記憶領域、入力指示と入力データとによって処理される作業領域等を形成する。
【００１６】
記憶部５０は、例えば、ＲＯＭ（Read Only Memory）やフラッシュメモリなどの記憶装置から構成され、装置１の動作に必要なプログラムやデータなどを格納する。本実施形態では、制御部１０などが実行する動作プログラムや、動作プログラムの実行時に必要となるパラメータや演算式などのデータが記憶部５０に格納されている。具体的には、部屋データベース５１、内装品データベース５２等が格納されている。
【００１７】
部屋データベース５１は、部屋に関するデータである部屋データ６０が記憶されたものである。ここで、部屋データ６０は、例えば、部屋名、部屋の形状、部屋の大きさ、部屋の建具、部屋に据付の家具、部屋の備品等のデータであり、これらのデータはテキストデータとして記憶されている。ここで、部屋データベース５１には、各部屋名に対応付けて、その部屋の形状、部屋の等が記憶されている。
【００１８】
内装品データベース５２は、部屋に備える内装品に関するデータである内装品データ７０が記憶されたものである。ここで、内装品データ７０とは、例えば、内装品の名称、内装品の色、模様、形状、大きさ、素材名、値段（単価）等のデータであり、内装品の色、模様、形状等は画像データとして格納され、内装品の名称、大きさ、素材名、値段（単価）等はテキストデータとして記憶されている。ここで、内装品データベース５２には、各内装品の名称に対応付けて、その内装品の色、模様、形状、大きさ、値段（単価）、素材名が記憶されている。
【００１９】
部屋１００は、部屋データベース５１に記憶されている部屋データ６０に対応する実在の部屋である。部屋１００には内装を施工する面である内装面１１０、ドア１２０、家具１３０等がある。なお、内装面１１０は、例えば石膏ボードの壁面があげられる。
【００２０】
内装品２００は、内装品データベース５２に記憶されている内装品データ７０に対応する実在の内装品である。ここで、内装品２００は、図２に示す通り、貼付材層２１０と、内装シート２２０と、保護シート２３０とからなり、未硬化状態とした気硬性の貼付材層２１０の表面を、意匠付けされた内装シート２２０で被覆するとともに、貼付材層２１０の裏面を、剥離可能な非通気性の保護シート２３０で被覆することによって構成されている。
【００２１】
ここで、貼付材層２１０は、例えば水溶性のアクリル樹脂等の結合材、珪藻土や珪砂等の骨材、繊維材等を主原料として、これに増粘剤や顔料等の各種添加材を添加してなる水溶性樹脂系の薄付け仕上げ塗材を、厚さ１〜３ｍｍ程度の層状に形成してなる。なお、貼付材層２１０としては、水溶性樹脂系の塗材だけに限らず、合成樹脂エマルション系の薄付け仕上げ塗材や消石灰・ドロマイトプラスター系の塗材を用いて構成しても良い。
【００２２】
内装シート２２０は、例えば不織布、織布、編布等の布帛や紙が用いられる。
【００２３】
保護シート２３０は、例えばポリエチレン樹脂シートやポリプロピレン樹脂シート等の合成樹脂シートが用いられる。
【００２４】
次に、装置１は、部屋データベース５１から所望の部屋を決定する部屋決定手段を備えている。具体的には、装置１の使用者が操作部２０から「部屋」を選択すると、制御部１０は記憶部５０に記憶されている部屋データベース５１から選択された部屋データ６０を読み出し、使用者が操作部２０から決定を指示すると制御部１０は該部屋データ６０を部屋として決定する。
【００２５】
より具体的には、部屋決定は、例えば、図３に示す画面から複数種類の部屋の部屋名を「部屋１」、「部屋２」、「部屋３」・・・がアイコンとして表示部３０に表示され、使用者は操作部２０からこれらのアイコンのいずれかを選択することにより行う。所望のアイコンを選択してクリックすると、その選択された部屋の状況が写真や図面として表示部３０に表示される。この画面で部屋の状況を確認してそれでよければ、「決定」のアイコンをクリックし、部屋が決定する。
【００２６】
次に、装置１は内装品データベース５２から所望の内装品を決定する内装品決定手段を備えている。具体的には、装置１の使用者が操作部２０から内装品を選択すると、制御部１０は記憶部５０に記憶されている内装品データベース５２から選択された内装品に該当する内装品データを読み出し、制御部１０は内装品データを表示部３０に表示出力し、使用者が操作部２０から決定を指示すると制御部１０は該内装品データを内装品に決定する。
【００２７】
より具体的には、内装品決定は、例えば、図４に示す画面から「壁材」、「ドア」、「家具」等がアイコンとして表示部３０に表示され、使用者は操作部２０からこれらのアイコンのいずれかを選択することにより行う。なお、表示部３０には使用者が部屋決定手段により決定した部屋のレイアウトがあらかじめ表示出力されている。次に、使用者が所望のアイコンを選択すると、図５に示す画面のように選択された内装品の模様である「模様１」、「模様２」、「模様３」・・・がアイコンとして複数種類表示され、使用者は操作部２０からこれらのアイコンのいずれかを選択する。すると、部屋決定手段により決定してあらかじめ表示されている部屋のレイアウトに、選択された内装品が表示される。この画面で内装品を確認してそれでよければ、「決定」のアイコンをクリックする。以上の操作を繰り返して、壁やドア等の内装品を選択し、壁やドア等についての選択した全ての内装品を図４の画面で確認して、よければ「決定」のアイコンをクリックする。これにより全ての内装品２００が決定する。
【００２８】
次に、装置１による部屋および内装品の決定方法について図６のフローチャートを用いて説明する。なお、ここでは内装品として主に壁材を用い、その他、建具としてのドアや家具の場合も併せて説明している。
【００２９】
まず、部屋決定手段により部屋を決定する処理を行う。
【００３０】
図３に示すように、表示部３０には「部屋１」、「部屋２」、「部屋３」・・・のアイコンが表示されると共に、部屋のレイアウト画面に部屋の間取り、ドアなどの建具や家具等が表示され、使用者は操作部２０から所望のアイコンをクリックして部屋を選択する（ステップＳ１）。ここで、使用者が所望のアイコンをクリックすると、表示部３０には選択された部屋の状況が表示される。
【００３１】
使用者はそれぞれの部屋の状況を確認して、表示部３０に部屋の状況が表示された状態で、操作部２０から「部屋決定」のアイコンをクリックすると、部屋が決定する（ステップＳ２）。なお、部屋を変更する場合には、「部屋決定」のアイコンをクリックしないで、「部屋１」、「部屋２」、「部屋３」・・・のアイコンから他の所望のアイコンをクリックする（ステップＳ２：NO）。
【００３２】
部屋が決定すると（ステップＳ２：YES）、内装品決定手段により内装品を決定する処理を行う。
【００３３】
まず、図４に示す通り、表示部３０には決定された部屋のレイアウト画面が表示されるとともに、「壁材」、「ドア」、「家具」等のアイコンが表示される。使用者が例えば「壁材」のアイコンをクリックすると、図５に示す通り、表示部３０には壁材の内装品の模様である「模様１」、「模様２」、「模様３」・・・がアイコンとして複数種類表示される。そして、使用者が操作部２０から所望の模様のアイコンをクリックすると、表示部３０には該決定された部屋のレイアウト画面に選択された内装品の模様が壁に表示される（ステップＳ３）。
【００３４】
使用者は「壁材」について選択して表示されている模様でよければ、操作部２０から「決定」のアイコンをクリックして壁の内装品を決定する。「決定」のアイコンをクリックすると、部屋の壁に選択した内装品がそのまま表示されたまま図４の画面に戻る。
【００３５】
次に、使用者は内装品の別の種類、例えば「ドア」のアイコンを使用者が操作部２０から選択し、先ほどと同様に、部屋のドアの内装品を選択する。
【００３６】
以上の操作を繰り返して、使用者は「壁材」や「ドア」等についての全ての内装品について選択する。
【００３７】
そして、全ての内装品について選択し、全ての選択された内装品の模様を図４のレイアウト画面で確認し、よければ、操作部２０から「決定」のアイコンをクリックする（ステップＳ４：YES）。
【００３８】
これに対して、全ての内装品が未だ選択されていない場合には、「決定」のアイコンをクリックしないで、再度、「壁材」、「ドア」、「家具」等の内装品についてのアイコンから他の所望のアイコンをクリックして内装品についての選択を続ける（ステップＳ４：NO）。
【００３９】
これにより、部屋と内装品が決定し、内装品データ７０は、内装品データ７０に対応する内装品２００を取り扱う問屋に送信され、問屋は該受け取ったデータをもとに、該内装品２００を物流により施工主に送り届ける。そして、施工主は装置１により決定された部屋に対応する実際の部屋１００に、該内装品２００を施工する段階に移行する（ステップＳ５）。
【００４０】
次に、装置１により決定された部屋と内装品を実際の部屋１００、建具１２０、家具１３０等に内装品２００を施工するわけだが、ここでは部屋１００の内装面１１０である部屋壁面に内装品２００である壁材を施工する例を用いて説明する。
【００４１】
まず、内装面１１０に既に施されている内装品を除去し、内装面１１０に内装品２００を施工できるように整える。
【００４２】
そして、内装品２００を部屋１００へ持ち込み、内装品２００を平面状に拡げて、保護シート２３０を貼付材層２１０から剥がし、図７に示す通り、仕上げ塗材層２の裏面をその粘着性を利用して貼付材層２１０を内装面１１０に貼り付けて、内装品２００を内装面１１０に沿って張設する。これらの作業を繰り返すことで、装置１を用いて決定した部屋に内装品を実際に施工する作業が完了する。
【００４３】
なお、内装品２００は例として説明した壁材以外にも障子や仕切り戸などの建具、パーティション、天井、床、家具等にも応用することができる。
【００４４】
この考案は、上記実施形態に限定されるものではなく、この考案の範囲内で上記実施形態に多くの修正及び変更を加え得ることは勿論である。
【符号の説明】
【００４５】
１：装置
１０：制御部
２０：操作部
３０：表示部
４０：メモリ部
５０：記憶部
５１：部屋データベース
５２：内装品データベース
６０：部屋データ
７０：内装品データ
１００：部屋
１１０：内装面
１２０：ドア
１３０：家具
２００：内装品
２１０：貼付材層
２２０：内装シート
２３０：保護シート
【図１】
0003186705.tif 000003
【図２】
0003186705.tif 000004
【図３】
0003186705.tif 000005
【図４】
0003186705.tif 000006
【図５】
0003186705.tif 000007
【図６】
0003186705.tif 000008
【図７】
0003186705.tif 000009
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
部屋に関するデータである部屋データが記憶された部屋データベースと、
内装品に関するデータである内装品データが記憶された内装品データベースと、
部屋データベースから所望の部屋データを選択する部屋選択手段と、
内装品データベースから所望の内装品データを選択する内装品選択手段と、
を備える装置。
【請求項２】
建具に関するデータである建具データが記憶された建具データベースと、
内装品に関するデータである内装品データが記憶された内装品データベースと、
建具データベースから所望の建具データを選択する建具選択手段と、
内装品データベースから所望の内装品データを選択する内装品選択手段と、
を備える装置。
【請求項３】
家具に関するデータである家具データが記憶された家具データベースと、
内装品に関するデータである内装品データが記憶された内装品データベースと、
家具データベースから所望の家具データを選択する家具選択手段と、
内装品データベースから所望の内装品データを選択する内装品選択手段と、
を備える装置。